【手続補正書】
【提出日】平成27年3月31日(2015.3.31)
【手続補正１】
【補正対象書類名】特許請求の範囲
【補正対象項目名】全文
【補正方法】変更
【補正の内容】
【特許請求の範囲】
【請求項１】
橋梁システムであって、
整備済みの地面上に設置された第１の組み合わせ型プレキャストコンクリート・現場打ちコンクリート製の基礎構造物を含み、
前記第１の組み合わせ型プレキャストコンクリート・現場打ちコンクリート製基礎構造物は、
内側の細長い直立壁部材、前記内側の細長い直立壁部材から間隔を置いて配置されていて、前記内側の細長い直立壁部材との間にチャネルを構成する外側の細長い直立壁部材、及び、前記チャネル内に配置された多数の直立支持体を有する第１のプレキャストコンクリート製基礎ユニットと、
前記第１のプレキャストコンクリート製基礎ユニットの前記チャネル内の現場打ちコンクリートとを含み、
前記第１のプレキャストコンクリート製基礎ユニットの前記内側の細長い直立壁部材、前記外側の細長い直立壁部材、及び前記多数の直立支持体の各々の底部は、前記整備済みの地面上に載り、
整備済みの地面上に設置されると共に前記第１の組み合わせ型プレキャストコンクリート・現場打ちコンクリート製基礎構造物から間隔を置いて配置されていて、前記第１の組み合わせ型プレキャストコンクリート・現場打ちコンクリート製基礎構造物に実質的に平行に延びる第２の組み合わせ型プレキャストコンクリート・現場打ちコンクリート製基礎構造物を含み、
前記第２の組み合わせ型プレキャストコンクリート・現場打ちコンクリート製基礎構造物は、
内側の細長い直立壁部材、前記内側の細長い直立壁部材から間隔を置いて設けられていて、前記内側の細長い直立壁部材との間にチャネルを構成する外側の細長い直立壁部材、及び、前記チャネル内に配置された多数の直立支持体を有する第２のプレキャストコンクリート製基礎ユニットと、
前記第２のプレキャストコンクリート製基礎ユニットの前記チャネル内の現場打ちコンクリートとを含み、
前記第２のプレキャストコンクリート製基礎ユニットの前記内側の細長い直立壁部材、前記外側の細長い直立壁部材及び前記多数の直立支持体の各々の底部は、前記整備済みの地面上に載り、
多数の橋梁ユニットを含み、前記多数の橋梁ユニットの各々は、第１の底部分及び前記第１の底部分から間隔を置いて設けられた第２の底部分を有し、前記第１の底部分は、前記第１の組み合わせ型プレキャストコンクリート・現場打ちコンクリート製基礎構造物によって支持されると共に前記第１の組み合わせ型プレキャストコンクリート・現場打ちコンクリート製基礎構造物の前記現場打ちコンクリート内に少なくとも部分的に埋め込まれており、前記第２の底部分は、前記第２の組み合わせ型プレキャストコンクリート・現場打ちコンクリート製基礎構造物によって支持されると共に前記第２の組み合わせ型プレキャストコンクリート・現場打ちコンクリート製基礎構造物の前記現場打ちコンクリート内に少なくとも部分的に埋め込まれている、橋梁システム。
【請求項２】
前記第１のプレキャストコンクリート製基礎ユニットの前記多数の支持体は、前記第２のプレキャストコンクリート製基礎ユニットの前記多数の支持体と実質的に整列している、請求項１記載の橋梁システム。
【請求項３】
前記第１のプレキャストコンクリート製基礎ユニットの前記多数の支持体の各々は、前記第１のプレキャストコンクリート製基礎ユニットの前記チャネル内に多数の互いに間隔を置いたセルを構成するよう前記第１のプレキャストコンクリート製基礎ユニットの前記内側の細長い直立壁部材と前記外側の細長い直立壁部材との間で側方に延び、前記第１の組み合わせ型プレキャストコンクリート・現場打ちコンクリート製基礎構造物の前記現場打ちコンクリートは、前記第１のプレキャストコンクリート製基礎ユニットの各セル内に配置され、
前記第２のプレキャストコンクリート製基礎ユニットの前記多数の支持体の各々は、前記第２のプレキャストコンクリート製基礎ユニットの前記チャネル内に多数の互いに間隔を置いたセルを構成するよう前記第２のプレキャストコンクリート製基礎ユニットの前記内側の細長い直立壁部材と前記外側の細長い直立壁部材との間で側方に延び、前記第２の組み合わせ型プレキャストコンクリート・現場打ちコンクリート製基礎構造物の前記現場打ちコンクリートは、前記第２のプレキャストコンクリート製基礎ユニットの各セル内に配置されている、請求項１記載の橋梁システム。
【請求項４】
前記第１のプレキャストコンクリート製基礎ユニットの前記多数のセルの各々は、頂部と底部の両方が開いており、前記第１の組み合わせ型プレキャストコンクリート・現場打ちコンクリート製基礎構造物の前記現場打ちコンクリートは、各セルを頂部から底部まで実質的に閉じており、
前記第２のプレキャストコンクリート製基礎ユニットの前記多数のセルの各々は、頂部と底部の両方が開いており、前記第２の組み合わせ型プレキャストコンクリート・現場打ちコンクリート製基礎構造物の前記現場打ちコンクリートは、各セルを頂部から底部まで実質的に閉じている、請求項３記載の橋梁システム。
【請求項５】
受け入れチャネルが前記第１のプレキャストコンクリート製基礎ユニットの前記多数の支持体の各々の上に配置され、前記受け入れユニットは、前記多数の橋梁ユニットのうちの少なくとも１つの前記第１の底部分を受け入れてこれを支持し、
受け入れチャネルが前記第２のプレキャストコンクリート製基礎ユニットの前記多数の支持体の各々の上に配置され、前記受け入れユニットは、前記多数の橋梁ユニットのうちの少なくとも１つの前記第２の底部分を受け入れてこれを支持する、請求項４記載の橋梁システム。
【請求項６】
前記第１のプレキャストコンクリート製基礎ユニットの前記多数の支持体の各々の前記受け入れチャネルは、前記多数の橋梁ユニットのうちの少なくとも２つの前記第１の底部分を受け入れてこれを支持し、
前記第２のプレキャストコンクリート製基礎ユニットの前記多数の支持体の各々の前記受け入れチャネルは、前記多数の橋梁ユニットのうちの少なくとも２つの前記第１の底部分を受け入れてこれを支持する、請求項５記載の橋梁システム。
【請求項７】
前記第１のプレキャストコンクリート製基礎ユニットの前記多数の支持体の各々の前記受け入れチャネルは、前記第１のプレキャストコンクリート製基礎ユニットの前記チャネル内から前記第１のプレキャストコンクリート製基礎ユニットの前記内側の細長い直立壁部材まで延び、
前記第２のプレキャストコンクリート製基礎ユニットの前記多数の支持体の各々の前記受け入れチャネルは、前記第２のプレキャストコンクリート製基礎ユニットの前記チャネル内から前記第２のプレキャストコンクリート製基礎ユニットの前記内側の細長い直立壁部材まで延びている、請求項５記載の橋梁システム。
【請求項８】
前記多数の橋梁ユニットの各々は、（ｉ）そのそれぞれの第１の底部分から前記第１の組み合わせ型プレキャストコンクリート・現場打ちコンクリート製基礎構造物より上方に遠ざかり、そして（ｉｉ）前記第２の組み合わせ型プレキャストコンクリート・現場打ちコンクリート製基礎構造物に向かって内方に延びる第１の壁部分を有し、
前記多数の橋梁ユニットの各々は、（ｉ）そのそれぞれの第２の底部分から前記第２の組み合わせ型プレキャストコンクリート・現場打ちコンクリート製基礎構造物より上方に遠ざかり、そして（ｉｉ）前記第１の組み合わせ型プレキャストコンクリート・現場打ちコンクリート製基礎構造物に向かって内方に延びる第２の壁部分を有する、請求項７記載の橋梁システム。
【請求項９】
前記第１の組み合わせ型プレキャストコンクリート・現場打ちコンクリート製基礎構造物の前記現場打ちコンクリートは、各橋梁ユニットの前記第１の底部分の外側部のところの方が各橋梁ユニットの前記第１の底部分の内側部のところよりも高い高さを有し、
前記第２の組み合わせ型プレキャストコンクリート・現場打ちコンクリート製基礎構造物の前記現場打ちコンクリートは、各橋梁ユニットの前記第２の底部分の外側部のところの方が各橋梁ユニットの前記第２の底部分の内側部のところよりも高い高さを有する、請求項７記載の橋梁システム。
【請求項１０】
前記第１のプレキャストコンクリート製基礎ユニットの前記多数の支持体の各々の前記受け入れチャネルは、該受け入れチャネルに形成された凹部又は該受け入れチャネルに取り付けられたチャネル部材のうちの一方であり、前記第２のプレキャストコンクリート製基礎ユニットの前記多数の支持体の各々の前記受け入れチャネルは、該受け入れチャネルに形成された凹部又は該受け入れチャネルに取り付けられたチャネル部材のうちの一方である、請求項５記載の橋梁システム。
【請求項１１】
各橋梁ユニットの前記第１の底部分の外側部のところの前記現場打ちコンクリートは、前記第１の底部分の外側部を埋め込むよう前記第１の底部分の底面よりも高く、各橋梁ユニットの前記第１の底部分の前記内側部のところの前記現場打ちコンクリートは、前記第１の底部分の前記底面と実質的に面一をなし、
各橋梁ユニットの前記第２の底部分の外側部のところの前記現場打ちコンクリートは、前記第２の底部分の外側部を埋め込むよう前記第２の底部分の底面よりも高く、各橋梁ユニットの前記第２の底部分の前記内側部のところの前記現場打ちコンクリートは、前記第２の底部分の前記底面と実質的に面一をなしている、請求項９記載の橋梁システム。
【請求項１２】
前記第１のプレキャストコンクリート製基礎ユニットの前記多数の支持体の各々の前記受け入れチャネルは、前記第１のプレキャストコンクリート製基礎ユニットの前記チャネル内に完全に納められ、
前記第２のプレキャストコンクリート製基礎ユニットの前記多数の支持体の各々の前記受け入れチャネルは、前記第２のプレキャストコンクリート製基礎ユニットの前記チャネル内に完全に納められている、請求項５記載の橋梁システム。
【請求項１３】
前記第１のプレキャストコンクリート製基礎ユニットの前記多数の支持体のうちの少なくとも幾つかは、前記第１のプレキャストコンクリート製基礎ユニットのセルからセルまで延びていて、現場打ちコンクリートが注ぎ込み中、１つのセルから前記支持体を通って別のセルに流れることができるようにする少なくとも１つの流れ開口部を有し、該流れ開口部内には現場打ちコンクリートが納められ、該流れ開口部は、前記第１のプレキャストコンクリート製基礎ユニットの前記直立支持体の頂部と前記底部の両方から間隔を置いて位置し、
前記第２のプレキャストコンクリート製基礎ユニットの前記多数の支持体のうちの少なくとも幾つかは、前記第２のプレキャストコンクリート製基礎ユニットのセルからセルまで延びていて、現場打ちコンクリートが注ぎ込み中、１つのセルから前記支持体を通って別のセルに流れることができるようにする少なくとも１つの流れ開口部を有し、該流れ開口部内には現場打ちコンクリートが納められ、該流れ開口部は、前記第２のプレキャストコンクリート製基礎ユニットの前記直立支持体の頂部と前記底部の両方から間隔を置いて位置している、請求項３記載の橋梁システム。
【請求項１４】
前記第１のプレキャストコンクリート製基礎ユニットの前記多数の支持体のうちの少なくとも幾つかは、前記第１のプレキャストコンクリート製基礎ユニットのセルからセルまで延びる多数の補強材用開口部を有し、各補強材用開口部は、前記流れ開口部よりも小さく、補強材が前記補強材用開口部の各々を通ってセルからセルまで延び、前記補強材は、前記第１の組み合わせ型プレキャストコンクリート・現場打ちコンクリート製基礎構造物の前記現場打ちコンクリート内に埋め込まれた端部を有し、該補強材用開口部は、前記第１のプレキャストコンクリート製基礎ユニットの前記直立支持体の前記頂部と前記底部の両方から間隔を置いて位置し、
前記第２のプレキャストコンクリート製基礎ユニットの前記多数の支持体のうちの少なくとも幾つかは、前記第２のプレキャストコンクリート製基礎ユニットのセルからセルまで延びる多数の補強材用開口部を有し、各補強材用開口部は、前記流れ開口部よりも小さく、補強材が前記補強材用開口部の各々を通ってセルからセルまで延び、前記補強材は、前記第２の組み合わせ型プレキャストコンクリート・現場打ちコンクリート製基礎構造物の前記現場打ちコンクリート内に埋め込まれた端部を有し、該補強材用開口部は、前記第２のプレキャストコンクリート製基礎ユニットの前記直立支持体の前記頂部と前記底部の両方から間隔を置いて位置している、請求項１３記載の橋梁システム。
【請求項１５】
前記第１の組み合わせ型プレキャストコンクリート・現場打ちコンクリート製基礎構造物は、
前記第１のプレキャストコンクリート製基礎ユニットの一端部のところに第１のプレキャスト袖壁基礎ユニットを更に含み、補強材が前記第１のプレキャスト袖壁基礎ユニットから前記第１のプレキャストコンクリート製基礎ユニット中に延び、前記補強材は、前記第１の組み合わせ型プレキャストコンクリート・現場打ちコンクリート製基礎構造物の前記現場打ちコンクリート内に埋め込まれ、
前記第２の組み合わせ型プレキャストコンクリート・現場打ちコンクリート製基礎構造物は、
前記第２のプレキャストコンクリート製基礎ユニットの一端部のところに第２のプレキャスト袖壁基礎ユニットを更に含み、補強材が前記第２のプレキャスト袖壁基礎ユニットから前記第２のプレキャストコンクリート製基礎ユニット中に延び、前記補強材は、前記第２の組み合わせ型プレキャストコンクリート・現場打ちコンクリート製基礎構造物の前記現場打ちコンクリート内に埋め込まれている、請求項１記載の橋梁システム。
【請求項１６】
補強材が前記第１のプレキャスト袖壁基礎ユニットから前記第１のプレキャストコンクリート製基礎ユニットの前記チャネル中に延び、
補強材が前記第２のプレキャスト袖壁基礎ユニットから前記第２のプレキャストコンクリート製基礎ユニットの前記チャネル中に延びている、請求項１５記載の橋梁システム。
【請求項１７】
前記第１のプレキャスト袖壁基礎ユニットの底部は、前記第１のプレキャスト袖壁基礎ユニットの頂部よりも幅が広く、前記第２のプレキャスト袖壁基礎ユニットの底部は、前記第２のプレキャスト袖壁基礎ユニットの頂部よりも幅が広い、請求項１５記載の橋梁システム。
【請求項１８】
前記第１の組み合わせ型プレキャストコンクリート・現場打ちコンクリート製基礎構造物は、
前記第１のプレキャストコンクリート製基礎ユニットの一端部に当接した第３のプレキャストコンクリート製基礎ユニットを更に含み、前記第３のプレキャストコンクリート製基礎ユニットは、内側の細長い直立壁部材、前記内側の細長い直立壁部材から間隔を置いて配置されていて、前記内側の細長い直立壁部材との間にチャネルを構成する外側の細長い直立壁部材及び前記チャネル内に配置された多数の直立支持体を有し、前記第３のプレキャストコンクリート製基礎ユニットの前記内側の細長い直立壁部材、前記外側の細長い直立壁部材及び前記チャネルは、それぞれ、前記第１のプレキャストコンクリート製基礎ユニットの前記内側の細長い直立壁部材、前記外側の細長い直立壁部材及び前記チャネルと整列し、前記第１の組み合わせ型プレキャストコンクリート・現場打ちコンクリート製基礎構造物の前記現場打ちコンクリート内に埋め込まれた補強材が前記第１のプレキャストコンクリート製基礎ユニットと前記第３のプレキャストコンクリート製基礎ユニットを構造的に連結し、
前記第２の組み合わせ型プレキャストコンクリート・現場打ちコンクリート製基礎構造物は、
前記第１のプレキャストコンクリート製基礎ユニットの一端部に当接した第４のプレキャストコンクリート製基礎ユニットを更に含み、前記第４のプレキャストコンクリート製基礎ユニットは、内側の細長い直立壁部材、前記内側の細長い直立壁部材から間隔を置いて配置されていて、前記内側の細長い直立壁部材との間にチャネルを構成する外側の細長い直立壁部材及び前記チャネル内に配置された多数の直立支持体を有し、前記第４のプレキャストコンクリート製基礎ユニットの前記内側の細長い直立壁部材、前記外側の細長い直立壁部材及び前記チャネルは、それぞれ、前記第２のプレキャストコンクリート製基礎ユニットの前記内側の細長い直立壁部材、前記外側の細長い直立壁部材及び前記チャネルと整列し、前記第２の組み合わせ型プレキャストコンクリート・現場打ちコンクリート製基礎構造物の前記現場打ちコンクリート内に埋め込まれた補強材が前記第２のプレキャストコンクリート製基礎ユニットと前記第４のプレキャストコンクリート製基礎ユニットを構造的に連結している、請求項１記載の橋梁システム。
【請求項１９】
前記第３のプレキャストコンクリート製基礎ユニットの端部は、前記第１のプレキャストコンクリート基礎ユニットの端部に当接し、前記端部の各々は、互いに当接した前記端部が現場打ちコンクリートを収納する連続セルを形成するようそのそれぞれの内側の細長い直立壁部材と外側の細長い直立壁部材との間で実質的に開いており、
前記第４のプレキャストコンクリート製基礎ユニットの端部は、前記第２のプレキャストコンクリート基礎ユニットの端部に当接し、前記端部の各々は、互いに当接した前記端部が現場打ちコンクリートを収納する連続セルを形成するようそのそれぞれの内側の細長い直立壁部材と外側の細長い直立壁部材との間で実質的に開いている、請求項１８記載の橋梁システム。
【請求項２０】
前記第１のプレキャストコンクリート製基礎ユニットは、前記内側の細長い直立壁部材と前記外側の細長い直立壁部材との間で延びる底壁を有し、前記第１のプレキャストコンクリート製基礎ユニットの前記多数の支持体の各々は、前記底壁から上方に延びると共に前記内側の細長い直立壁部材と前記外側の細長い直立壁部材の両方から間隔を置いて位置し、
前記第２のプレキャストコンクリート製基礎ユニットは、前記内側の細長い直立壁部材と前記外側の細長い直立壁部材との間で延びる底壁を有し、前記第２のプレキャストコンクリート製基礎ユニットの前記多数の支持体の各々は、前記底壁から上方に延びると共に前記内側の細長い直立壁部材と前記外側の細長い直立壁部材の両方から間隔を置いて位置している、請求項１記載の橋梁システム。
【請求項２１】
組み合わせ型プレキャストコンクリート・現場打ちコンクリート製基礎構造物を建造する際に用いられるプレキャストコンクリート製基礎ユニットであって、前記プレキャストコンクリート製基礎ユニットは、
第１の細長い直立壁部材、前記第１の細長い直立壁部材から間隔を置いて位置していて、前記第１の細長い直立壁部材との間にチャネルを構成する第２の細長い直立壁部材及び前記チャネル内に配置された多数の直立支持体を有し、前記多数の支持体の各々は、（ｉ）前記チャネルの長さに沿って多数の互いに間隔を置いたセルを構成すると共に（ｉｉ）前記第１の細長い直立壁部材と前記第２の細長い直立壁部材を剛性的に連結するよう前記第１のプレキャストコンクリート製基礎ユニットの前記第１の細長い直立壁部材と前記第２の細長い直立壁部材との間で側方に延び、前記多数のセルの各々は、頂部と底部の両方が開いており、受け入れチャネルが前記多数の支持体の各々の上に配置され、前記多数の支持体のうちの少なくとも幾つかは、セルからセルまで延びていて、現場打ちコンクリートが注ぎ込み中、１つのセルから前記支持体を通って別のセルに流れることができるようにする少なくとも１つの流れ開口部を有し、該流れ開口部は、前記支持体の頂部と底部の両方から間隔を置いて位置している、プレキャストコンクリート製基礎ユニット。
【請求項２２】
前記多数の支持体の各々の前記受け入れチャネルは、前記チャネル内から前記第１の細長い直立壁部材まで側方に延びている、請求項２１記載のプレキャストコンクリート製基礎ユニット。
【請求項２３】
前記第２の細長い直立壁部材は、前記第１の細長い直立壁部材の高さよりも高い高さを有する、請求項２２記載のプレキャストコンクリート製基礎ユニット。
【請求項２４】
前記多数の支持体の各々の前記受け入れチャネルは、前記チャネル内に完全に納められている、請求項２１記載のプレキャストコンクリート製基礎ユニット。
【請求項２５】
各受け入れチャネルは、（ｉ）そのそれぞれの支持体の頂部に形成された凹部又は（ｉｉ）そのそれぞれの支持体の頂部に取り付けられたチャネル部材のうちの一方である、請求項２１記載のプレキャストコンクリート製基礎ユニット。
【請求項２６】
橋梁据え付け現場に配置された請求項２１記載のプレキャストコンクリート製基礎ユニットを組み込んだ組み合わせ型プレキャストコンクリート・現場打ちコンクリート基礎構造物であって、
前記プレキャストコンクリート製基礎ユニットの前記チャネル内の現場打ちコンクリートを備え、
前記現場打ちコンクリートは、各セルを頂部から底部まで実質的に閉じ、現場打ちコンクリートが前記支持体の流れ開口部内に納められている、組み合わせ型プレキャストコンクリート・現場打ちコンクリート製基礎構造物。
【請求項２７】
前記プレキャストコンクリート製基礎ユニットの前記多数の支持体のうちの少なくとも幾つかは、セルからセルまでの多数の補強通路を更に有し、補強材が前記補強通路を通ってセルからセルまで通ると共に前記現場打ちコンクリート内に埋め込まれている、請求項２６記載の構造物。
【請求項２８】
橋梁据え付け現場に配置された組み合わせ型プレキャストコンクリート・現場打ちコンクリート製基礎構造物であって、
内側の細長い直立壁部材、前記内側の細長い直立壁部材から間隔を置いて位置していて、前記内側の細長い直立壁部材との間にチャネルを構成する外側の細長い直立壁部材及び前記チャネル内に配置された多数の直立支持体を有するプレキャストコンクリート製基礎ユニットを含み、
前記プレキャストコンクリート製基礎ユニットとは別個に形成されると共に前記チャネル内に位置決めされていて、前記チャネルから上方に且つ前記プレキャストコンクリート製基礎ユニットの上方に延びる細長いプレキャストコンクリート製ペデスタルユニットを含み、前記細長いプレキャストコンクリート製ペデスタルユニットの頂面は、該頂面に設けられた凹部又はチャネル部材を有し、
前記チャネル内に納められた現場打ちコンクリートを含み、前記現場打ちコンクリートは、（ｉ）前記直立支持体の開口を通して、前記プレキャストコンクリート製基礎ユニットの前記チャネル内に長手方向に延びる補強材を埋め込むと共に（ｉｉ）前記現場打ちコンクリートと前記プレキャストコンクリート製ペデスタルユニットの両方内に埋め込まれた補強材によって前記細長いプレキャストコンクリート製ペデスタルユニットに結合されている、構造物。
【請求項２９】
前記細長いプレキャストコンクリート製ペデスタルユニットの底部は、前記チャネル内の現場打ちのコンクリート内に埋め込まれている、請求項２８記載の構造物。
【請求項３０】
前記細長いプレキャストコンクリート製ペデスタルユニットは、前記多数の支持体の上に着座し、補強材が前記細長いプレキャストコンクリート製ペデスタルユニットの底部から前記チャネル内の前記現場打ちコンクリート内に延びている、請求項２９記載の構造物。
【請求項３１】
前記多数の支持体の各々は、頂部凹部又は頂部チャネル部材を有し、前記細長いプレキャストコンクリート製ペデスタルユニットは、前記凹部又は前記チャネル部材内に嵌め込まれている、請求項３０記載の構造物。
【請求項３２】
請求項２８記載の組み合わせ型プレキャストコンクリート・現場打ちコンクリート製基礎構造物を少なくとも１つ含む橋梁システムであって、
多数の橋梁ユニットを更に含み、前記多数の橋梁ユニットの各々は、前記組み合わせ型プレキャストコンクリート・現場打ちコンクリート製基礎構造物によって支持された第１の底側部分を有し、各第１の底側部分は、前記細長いプレキャストコンクリート製ペデスタルユニットの前記凹部又は前記チャネル部材内に嵌め込まれている、橋梁システム。
【請求項３３】
前記組み合わせ型プレキャストコンクリート・現場打ちコンクリート製基礎構造物は、第１の組み合わせ型プレキャストコンクリート・現場打ちコンクリート製基礎構造物であり、前記プレキャストコンクリート製基礎ユニットは、第１のプレキャストコンクリート製基礎ユニットであり、前記細長いプレキャストコンクリート製ペデスタルユニットは、第１の細長いプレキャストコンクリート製ペデスタルユニットであり、前記橋梁システムは、
前記橋梁据え付け現場に配置されると共に前記第１の組み合わせ型プリキャストコンクリート・現場打ちコンクリート製基礎構造物に実質的に平行に延びる第２の組み合わせ型プレキャストコンクリート・現場打ちコンクリート製基礎構造物を更に含み、前記第２の組み合わせ型プレキャストコンクリート・現場打ちコンクリート製基礎構造物は、
内側の細長い直立壁部材、前記内側の細長い直立壁部材から間隔を置いて位置していて、前記内側の細長い直立壁部材との間にチャネルを構成する外側の細長い直立壁部材、及び、前記チャネル内に配置された多数の直立支持体を有する第２のプレキャストコンクリート製基礎ユニットを含み、
前記第２のプレキャストコンクリート製基礎ユニットとは別個に形成されると共に前記チャネル内に位置決めされていて、前記チャネルから上方に且つ前記プレキャストコンクリート製基礎ユニットの上方に延びる第２の細長いプレキャストコンクリート製ペデスタルユニットを含み、前記第２の細長いプレキャストコンクリート製ペデスタルユニットの頂面は、該頂面に設けられた凹部又はチャネル部材を有し、
前記第２のプレキャストコンクリート製基礎ユニットの前記チャネル内の現場打ちコンクリートを含み、前記現場打ちコンクリートは、（ｉ）前記現場打ちコンクリートと前記第２のプレキャストコンクリート製ペデスタルユニットの両方内に埋め込まれた補強材によって前記第２の細長いプレキャストコンクリート製ペデスタルユニットに結合され、
前記多数の橋梁ユニットの各々は、前記第２の細長い組み合わせ型プレキャストコンクリート・現場打ちコンクリート製基礎構造物によって支持された第２の底側部分を有し、各第２の底側部分は、前記第２の細長いプレキャストコンクリート製ペデスタルユニットの前記凹部又は前記チャネル部材内に嵌め込まれている、請求項３２記載の橋梁システム。
【請求項３４】
組み合わせ型プレキャストコンクリート・現場打ちコンクリート製基礎構造物を建造する方法であって、
第１の細長い直立壁部材、前記第１の細長い直立壁部材から間隔を置いて位置していて、前記第１の細長い直立壁部材との間にチャネルを構成する第２の細長い直立壁部材及び前記チャネル内に配置された多数の直立支持体を有する第１のプレキャストコンクリート製基礎ユニットを建造現場で受け取るステップを含み、前記多数の直立支持体の各々は、上方に向いた凹部を有し、
前記第１のプレキャストコンクリート製基礎ユニットを前記建造現場の所望の使用場所に配置するステップを含み、
前記第１のプレキャストコンクリート製基礎ユニットが前記所望の使用場所に位置したままの状態でコンクリートを前記第１のプレキャストコンクリート製基礎ユニットの前記チャネル内に送り込むステップを含み、
前記コンクリートが現場硬化できるようにするステップを含む、方法。
【請求項３５】
前記第１のプレキャストコンクリート製基礎ユニットの前記多数の支持体の各々は、前記第１のプレキャストコンクリート製基礎ユニットの前記チャネル内に多数の互いに間隔を置いたセルを構成するよう前記第１のプレキャストコンクリート製基礎ユニットの前記内側の細長い直立壁部材と前記外側の細長い直立壁部材との間で側方に延び、前記送り込みステップは、前記コンクリートを前記第１のプリキャストコンクリート製基礎ユニットの各セル内に送り込むステップを含む、請求項３４記載の方法。
【請求項３６】
前記第１のプレキャストコンクリート製基礎ユニットの前記多数のセルの各々は、頂部と底部の両方が開いており、前記現場硬化コンクリートは、前記各セルを頂部から底部まで実質的に閉じる、請求項３５記載の方法。
【請求項３７】
前記送り込みステップに先立って、プリキャストコンクリート製ペデスタルユニット又は橋梁ユニットのうちの一方が前記多数の支持体上で前記チャネル内に少なくとも部分的に支持され、前記コンクリートの現場硬化可能ステップ中、前記プリキャストコンクリート製ペデスタルユニット又は前記橋梁ユニットのうちの一方の底部分が前記現場硬化コンクリート内に埋め込まれた状態になる、請求項３４記載の方法。
【請求項３８】
前記第１のプレキャストコンクリート製基礎ユニットの前記多数の支持体の各々の前記上方に向いた凹部は、前記チャネル内から前記第１の細長い直立型壁部材まで延び、前記送り込みステップ中、前記底部分と前記第２の細長い直立壁部材との間に位置する前記送り込みコンクリートが第１の高さに設置され、前記底部分と前記第１の細長い直立部材との間に位置する前記送り込みコンクリートは、前記第１の高さよりも低い前記第２の高さに設置される、請求項３７記載の方法。
【請求項３９】
プレキャストコンクリート袖壁基礎ユニットを前記建造現場で受け取るステップと、
前記送り込みステップに先立って、前記プレキャストコンクリート袖壁基礎ユニットを補強材が前記プレキャストコンクリート袖壁基礎ユニットから前記チャネル内に延びるように前記第１のプレキャストコンクリート製基礎ユニットの一端部のところに配置するステップとを更に含み、
前記送り込みステップ及び前記コンクリート現場硬化可能ステップの結果として、前記プレキャストコンクリート袖壁基礎ユニットから前記チャネル内に延びる前記補強材は、前記現場硬化コンクリート内に埋め込まれた状態になる、請求項３４記載の方法。
【請求項４０】
前記プレキャストコンクリート袖壁基礎ユニットは、底面及び頂面を有し、前記底面は、前記頂面よりも幅が広い、請求項３９記載の方法。